(57)【要約】      （修正有）【課題】収納したゆで卵が載置台から受ける衝撃を緩和してゆで卵に割れ等の損傷が及ぶのを防ぐことが可能なゆで卵収納容器を提供する。【解決手段】前側面０１０１及び後側面０１０５の各下端で支承されるゆで卵収納容器０１００であって、ゆで卵を載置する底面０１０２は、上げ底となっており、ゆで卵を載置した状態で、ゆで卵の下部が直接又は間接に前側面０１０１及び後側面０１０５の立設面に接しないように構成される。【選択図】図１Ａ
0003224694.tif 000002
【実用新案登録請求の範囲】
【請求項１】
側面下端で支承されるゆで卵収納容器であって、
ゆで卵を載置する底面は、上げ底となっており、ゆで卵を載置した状態で、ゆで卵の下部が直接又は間接に前記側面下端の立設面に接しないように構成されるゆで卵収納容器。
【請求項２】
前記底面には、ゆで卵載置予定領域に放射状に切り込まれた放射状切込みが設けられている請求項１に記載のゆで卵収納容器。
【請求項３】
前記側面から延在し、収納されるゆで卵の頂部を押さえる押さえ板をさらに有する請求項１又は請求項２に記載のゆで卵収納容器。
【請求項４】
収納されるゆで卵の頂部に接触しないように配置される蓋をさらに有する請求項１から請求項３のいずれか一に記載のゆで卵収納容器。
【請求項５】
前記押さえ板には、ゆで卵押さえ予定領域に放射状に切り込まれた放射状切込みが設けられている請求項３又は請求項４に記載のゆで卵収納容器。
【請求項６】
前記押さえ板には、延在する側面の対向側に押さえ板引上げ部が設けられている請求項３又は請求項３に従属する請求項４、請求項５記載のゆで卵収納容器。
【考案の詳細な説明】
【技術分野】
【０００１】
本考案は、コンビニエンスストアー等の店舗で販売されているゆで卵を収納するためのゆで卵収納容器に関するものである。
【背景技術】
【０００２】
上記したようなゆで卵収納容器としては、例えば、特許文献１に記載された容器がある。
この容器は、一枚のシート状の紙を折り曲げることによって形成されており、底面，左右側面，前側面，後側面及び上ふたを有している。
【０００３】
このゆで卵収納容器において、前側面と左側面、左側面と後側面、後側面と右側面は、いずれも折り目を介して連なっており、前側面の左側面が連なっていない方の側縁に折り目を介して設けられた貼着片を右側面の後側面が連なっていない方の側縁に貼り付けることで、ゆで卵の囲み領域が形成されるようになっている。
【０００４】
この囲み領域の下部を閉塞する底面は、前側面及び後側面の各下端に折り目を介して連続する底面構成片同士を重ね合わせて貼り付けることで形成されている。
【０００５】
一方、上ふたは、後側面の上端に折り目を介して連続して設けられており、上ふたの先端に折り目を介して設けられた上ふた固定片を前側面の上端部内側に重ね合わせて貼り付けることで、囲み領域の上部を閉塞した状態で固定されるようになっている。
【０００６】
この場合、前側面、及び、これに対向する後側面には、囲み領域に張り出すようにして山折りされて成るクッション片がそれぞれ設けてあり、囲み領域内において互いに向き合うクッション片で卵を支えるようになっている。
【０００７】
また、前側面には、その上端から後側面に向けて延出する中ふたが設けられており、この中ふたには卵固定孔が設けられている。
【０００８】
つまり、このゆで卵収納容器では、囲み領域内において、互いに向き合うクッション片で支えられる卵の上端部に中ふたの卵固定孔を嵌めることで、卵を底面から離間させた状態で固定するようにしており、これによって、ゆで卵収納容器の底面側から受ける外力がゆで卵に直接伝わるのを防ぐようにしている。
【先行技術文献】
【特許文献】
【０００９】
【特許文献１】実用新案登録第３０７８８６８号公報
【考案の概要】
【考案が解決しようとする課題】
【００１０】
しかしながら、上記した従来のゆで卵収納容器では、卵を底面から離間させた状態で支持するようにしているものの、前側面及び後側面の双方から囲み領域に張り出して卵の下端部を支えるクッション片は、いずれも前側面及び後側面に山折りによって形成されているだけである。
【００１１】
したがって、例えば、ゆで卵収納容器を勢いよくテーブル等の載置台に置いた場合には、前側面及び後側面の双方から囲み領域に張り出すクッション片が、卵に作用する慣性力に耐えきれずにより大きく山折れしてしまい、その結果、卵が下方に移動して下端部が底面を介してテーブル等の載置台に衝突し兼ねないという問題があり、これを解決することが従来の課題となっていた。
【００１２】
本考案は、上記した従来の課題に着目して成されたもので、例えば、テーブル等の載置台に勢いよく置いた場合であったとしても、収納したゆで卵が載置台から受ける衝撃を緩和してゆで卵に割れ等の損傷が及ぶのを防ぐことが可能であるゆで卵収納容器を提供することを目的としている。
【課題を解決するための手段】
【００１３】
上記した目標を達成するために、第一の考案は、側面下端で支承されるゆで卵収納容器であって、ゆで卵を載置する底面は、上げ底となっており、ゆで卵を載置した状態で、ゆで卵の下部が直接又は間接に前記側面下端の立設面に接しないように構成されるゆで卵収納容器を提供する。
【００１４】
第二の考案は、第一の考案を基本として、前記底面には、ゆで卵載置予定領域に放射状に切り込まれた放射状切込みが設けられているゆで卵収納容器を提供する。
【００１５】
第三の考案は、第一の考案又は第二の考案を基本として、前記側面から延在し、収納されるゆで卵の頂部を押さえる押さえ板をさらに有するゆで卵収納容器を提供する。
【００１６】
第四の考案は、第一の考案〜第三の考案を基本として、収納されるゆで卵の頂部に接触しないように配置される蓋をさらに有するゆで卵収納容器を提供する。
【００１７】
第五の考案は、第三の考案又は第四の考案を基本として、前記押さえ板には、ゆで卵押さえ予定領域に放射状に切り込まれた放射状切込みが設けられているゆで卵収納容器を提供する。
【００１８】
第六の考案は、主に第三の考案を基本として、前記押さえ板には、延在する側面の対向側に押さえ板引上げ部が設けられているゆで卵収納容器を提供する。
【考案の効果】
【００１９】
本考案に係るゆで卵収納容器は、例えば、テーブル等の載置台に勢いよく置いた場合であったとしても、収納したゆで卵が受ける衝撃を緩和することができ、その結果、ゆで卵に割れ等の損傷が及ぶのを防ぐことが可能であるという効果を奏する。
【図面の簡単な説明】
【００２０】
【図１Ａ】実施例１の上ふたを開けた状態のゆで卵収納容器を示す部分破断斜視図
【図１Ｂ】実施例１のシートを折り曲げて形成されるゆで卵収納容器の展開図
【図１Ｃ】実施例１のゆで卵収納容器の縦断面図
【図２Ａ】実施例２の上ふたを開けた状態のゆで卵収納容器を示す部分破断斜視図
【図２Ｂ】実施例２のシートを折り曲げて形成されるゆで卵収納容器の展開図
【図２Ｃ】実施例２のゆで卵収納容器の縦断面図
【図２Ｄ】実施例２のゆで卵収納容器の押さえ板引上げ動作を示す縦断面図
【考案を実施するための形態】
【００２１】
以下に本考案の実施例を説明する。実施例１は主に請求項１，２，４、実施例２は主に請求項３，５，６について説明している。なお、本考案はこれらの実施例に限定されるものではなく、その要旨を逸脱しない範囲において、種々なる態様で実施し得る。
≪実施例１≫
【００２２】
＜概要＞
本実施例のゆで卵収納容器は、側面下端で支承して、ゆで卵を載置する底面を上げ底にしたことを特徴としている。すなわち、ゆで卵を底面に載置した状態において、側面下端を置くテーブル等の立設面に対してゆで卵の下部が直接又は間接に接しないことになるため、外力、特に容器下方からの外力がゆで卵に伝わりにくくなる。
【００２３】
＜構成＞
図１Ａに一部を破断して示すように、本実施例のゆで卵収納容器０１００は、２個のゆで卵を収納する容器であって、容器正面である前側面０１０１，ゆで卵を載置する底面０１０２，容器側面である左側面０１０３，同じく容器側面である右側面０１０４，容器背面である後側面０１０５及び容器のゆで卵取り出し口を開閉する上ふた０１０６を有している。
【００２４】
このゆで卵収納容器０１００には、通常、紙が用いられる。この紙には、当然のことながらゆで卵を保持できるだけの強度（厚みや強さ（こわさ））が求められるほか、油分のある食物と接触した場合や、水分を含んでいる食物と接触した場合であったとしても、油分や水分で変質したり、溶けたり、化学反応をおこして有害化したりすることのないような、すなわち、ゆで卵に変異を来さないような紙質が求められ、例えば、コート・ノーコートボールと言われる板紙を用いることができる。
【００２５】
この際、上記の条件を満たす限り、ビニールやニス等のコーティングを施した紙を用いてもよく、紙のサイズ及び形状は、収納するゆで卵の個数に応じて自由に設計することができる。
【００２６】
このゆで卵収納容器０１００は、上記の条件を満たす一枚のシート状の紙を折り曲げることによって形成されている。図１Ｂの展開図に示すように、前側面０１０１，底面０１０２，後側面０１０５及び上ふた０１０６は直列に並べて配置されており、前側面０１０１と底面０１０２、底面０１０２と後側面０１０５、後側面０１０５と上ふた０１０６は、いずれも折り目Ｌを介して連なっている。これらの折り目Ｌには、折り曲げを容易にするための加工、例えば、エンボス加工を施すことが望ましい。
【００２７】
前側面０１０１及び後側面０１０５の各左側縁には、左側面０１０３を構成する左側面構成片０１０３Ｆ，０１０３Ｒがそれぞれ折り目Ｌを介して連なっており、これと同様に、前側面０１０１及び後側面０１０５の各右側縁には、右側面０１０４を構成する右側面構成片０１０４Ｆ，０１０４Ｒがそれぞれ折り目Ｌを介して連なっている。
【００２８】
上記左側面構成片０１０３Ｆの前側面０１０１と連なっていない方の側縁には、折り目Ｌを介してのり代０１０３Ｂが設けられており、一方、右側面構成片０１０４Ｆの前側面０１０１と連なっていない方の側縁にも、折り目Ｌを介してのり代０１０４Ｂが設けられている。
【００２９】
そして、底面０１０２を間にして前側面０１０１及び後側面０１０５を互いに対向させた状態において、左側面構成片０１０３Ｆに設けられたのり代０１０３Ｂを左側面構成片０１０３Ｒの側縁に貼り付けることで、左側面０１０３が形成され、一方、右側面構成片０１０４Ｆに設けられたのり代０１０４Ｂを右側面構成片０１０４Ｒの側縁に貼り付けることで、右側面０１０４が形成される。
【００３０】
この場合、底面０１０２の前側面０１０１側の端部及び後側面０１０５側の各端部は、折り返し片０１０２Ｔ，０１０２Ｔとして形成してある。これらの折り返し片０１０２Ｔ，０１０２Ｔは、容器組み立て時において、折り目Ｌで前側面０１０１及び後側面０１０５の各下端部と重なる方向にそれぞれ折り曲げられる、すなわち、上方に折り曲げられるようになっている。
【００３１】
このように、折り返し片０１０２Ｔ，０１０２Ｔを上方に折り曲げることで、前側面０１０１及び後側面０１０５の各下端で容器を支承するようにしていると共に、底面０１０２の中央部分を前側面０１０１及び後側面０１０５の各下端から嵩上げして、底面０１０２が上げ底として機能するようにしている。
【００３２】
つまり、このゆで卵収納容器０１００では、図１Ｃにも示すように、ゆで卵ＢＥを底面０１０２に載せた状態において、容器を置くテーブル等の載置台（立設面）Ｄに対してゆで卵ＢＥの下部が接しないようになっている。
【００３３】
この実施例において、上げ底として機能する底面０１０２には、２つの円形状を成すゆで卵載置予定領域０１１０，０１１０が設定してあり、これらのゆで卵載置予定領域０１１０，０１１０には、放射状に切り込みを入れることで形成された複数の受圧片０１１１がそれぞれ設けられている。これらの受圧片０１１１は、ゆで卵ＢＥを底面０１０２のゆで卵載置予定領域０１１０に載せた状態において、図１Ｃ矢印方向に変形してゆで卵ＢＥを据わりよく支持するようになっている。
【００３４】
加えて、上げ底として機能する底面０１０２の前後方向（図１Ｂ上下方向）の中央には、組み立て時において緩やかに谷折りされる折り目Ｌ１が付けられており、底面０１０２の中央部分を切妻屋根状に上方に向けて尖らせることで、底面０１０２の剛性を高めるようにしている。
【００３５】
この切妻屋根状を成す底面０１０２のゆで卵載置予定領域０１１０にゆで卵ＢＥを載せると、図１Ｃに仮想線で示すように、折り返し片０１０２Ｔ，０１０２Ｔが前側面０１０１及び後側面０１０５の各下端部と重なる方向にそれぞれ移動するのに伴って、底面０１０２が全体的に白抜き矢印方向に沈み込んで、ゆで卵ＢＥをソフトに支えるようになっている。
【００３６】
そして、この状態で、例えば、ゆで卵収納容器０１００をテーブル等の載置台Ｄに勢いよく置いた場合には、底面０１０２がさらに沈み込んでゆで卵ＢＥが受ける衝撃を緩和する。
【００３７】
また、上ふた０１０６の先端には、折り目Ｌを介して固定片０１０６Ａが設けられており、ゆで卵ＢＥの収納時において、固定片０１０６Ａを前側面０１０１の上端部内側に重ね合わせることで、容器のゆで卵取り出し口を閉塞するようになっている。この際、上ふた０１０６は、収納されるゆで卵ＢＥの頂部に接触しないように配置されている。
【００３８】
なお、図１Ａ及び図１Ｂにおける符号０１０３Ｓ，０１０４Ｓは、左側面構成片０１０３Ｆ及び右側面構成片０１０４Ｆにそれぞれ連なる抜け止めであり、前側面０１０１の上端部内側に重ね合わせた上ふた０１０６の固定片０１０６Ａの抜けを防ぐ機能を有している。
【００３９】
なお、本実施例では、本考案のゆで卵収納容器０１００が２個のゆで卵を収納する容器である場合を示しているが、収納するゆで卵の個数は２個に限定されるものではなく、１個であってもよいし、３又は４個或いはそれ以上であってもよい。ゆで卵収納容器０１００が１個のゆで卵を収納する容器である場合には、底面０１０２に１つの卵載置予定領域０１１０が設定され、ゆで卵収納容器０１００が３個のゆで卵を収納する容器である場合には、底面０１０２に３つの卵載置予定領域０１１０が設定される。
【００４０】
＜効果＞
このように、本実施例のゆで卵収納容器０１００では、ゆで卵ＢＥを載置する底面０１０２の折り返し片０１０２Ｔ，０１０２Ｔを上方に折り曲げることで、前側面０１０１及び後側面０１０５の各下端で容器を支承するようにしており、これにより、底面０１０２を上げ底として機能させることができる。
その結果、ゆで卵収納容器０１００をテーブル等の載置台Ｄに勢いよく置いた場合であったとしても、収納したゆで卵ＢＥが受ける衝撃を緩和することができ、ゆで卵ＢＥが載置台Ｄに触れて割れ等の損傷が生じるのを防ぐことが可能である。
【００４１】
また、本実施例のゆで卵収納容器０１００では、上げ底として機能する底面０１０２のゆで卵載置予定領域０１１０に、放射状に切り込みを入れて形成した複数の受圧片０１１１を設けているので、ゆで卵ＢＥを底面０１０２のゆで卵載置予定領域０１１０に載せた状態において、ゆで卵ＢＥを据わりよく支持することができる。
【００４２】
さらに、本実施例のゆで卵収納容器０１００では、収納されるゆで卵ＢＥの頂部と上ふた０１０６との間に、例えば、ゆで卵ＢＥのサイズに応じて５〜１５ｍｍの余裕をもたせることで、ゆで卵ＢＥの頂部に上ふた０１０６が接触しないようにしているので、容器上方から外力がかかったとしても、この上ふた０１０６がクッションとなって、ゆで卵ＢＥの頂部に割れ等の損傷が生じ難くいものとなっている。
≪実施例２≫
【００４３】
＜概要＞
本実施例のゆで卵収納容器は、実施例１記載のゆで卵収納容器を基本とし、前側面から後側面に向けて延在する押さえ板をさらに設けて、この押さえ板でゆで卵の頂部を押さえるようにしたことを特徴としている。すなわち、ゆで卵を収納した状態において、上げ底として機能する底面と押さえ板との間にゆで卵が挟み込まれることになるので、ゆで卵を安定した状態で支持し得ることとなる。
【００４４】
＜構成＞
図２Ａに一部を破断して示すように、本実施例のゆで卵収納容器０２００も、２個のゆで卵を収納する容器であって、容器正面である前側面０２０１，ゆで卵を載置する上げ底の底面０２０２，容器側面である左側面０２０３，同じく容器側面である右側面０２０４，容器背面である後側面０２０５及び容器のゆで卵取り出し口を開閉する上ふた０２０６を有している。そして、ゆで卵収納容器０２００は、前側面０２０１から後側面０２０５に向けて延在する押さえ板０２０７をさらに有している。
【００４５】
このゆで卵収納容器０２００も、上記した実施例１で用いたシート状の紙と同様の紙を折り曲げることによって形成されていて、図２Ｂの展開図に示すように、前側面０２０１，底面０２０２，後側面０２０５及び上ふた０２０６は直列に並べて配置されており、前側面０２０１と底面０２０２、底面０２０２と後側面０２０５、後側面０２０５と上ふた０２０６は、いずれも折り目Ｌを介して連なっている。
【００４６】
本実施例において、前側面０２０１の底面０２０２と連なっていない方の端部に、折り目Ｌを介して上記押さえ板０２０７を設けており、この押さえ板０２０７の前側面０２０１側の端部は折り返し片０２０７Ｔとして形成してある。この折り返し片０２０７Ｔは、容器組み立て時において、折り目Ｌで前側面０２０１の上端部と重なる方向に折り曲げられる、すなわち、下方に折り曲げられるようになっている。
【００４７】
一方、押さえ板０２０７の先端部（図２Ｂ下端部）は押さえ板引上げ部０２０７Ｐとして形成してある。この押さえ板引上げ部０２０７Ｐは、容器組み立て時において、その先端が後側面０２０５の上端部に触れることで、押さえ板０２０７の中央部分に対して折り目Ｌで緩やかに谷折りされるようになっている。
【００４８】
このように、容器組み立て時において、押さえ板０２０７の折り返し片０２０７Ｔを下方に折り曲げると共に、押さえ板０２０７の中央部分に対して押さえ板引上げ部０２０７Ｐを谷折りすることで、押さえ板０２０７の中央部分を下方に落とし込むようにしている。
【００４９】
つまり、このゆで卵収納容器０２００では、図２Ｃにも示すように、ゆで卵ＢＥを上げ底の底面０２０２に載せて上ふた０２０６を閉じた状態において、後側面０２０５の上端部に対して押さえ板引上げ部０２０７Ｐを貼り付けたりすることなく、押さえ板０２０７でゆで卵ＢＥの頂部を押さえることができるようになっている。
【００５０】
また、この実施例において、押さえ板０２０７には、２つの円形状を成すゆで卵押さえ予定領域０２２０，０２２０が設定してあり、これらのゆで卵押さえ予定領域０２２０，０２２０には、放射状に切り込みを入れることで形成された複数の押圧片０２２１がそれぞれ設けられている。これらの押圧片０２２１は、ゆで卵ＢＥを上げ底の底面０２０２に載せて上ふた０２０６を閉じた状態において、図２Ｃ矢印方向に変形することで、押さえ板０２０７をゆで卵ＢＥの頂部にフィットさせるようになっている。
【００５１】
この際、ゆで卵ＢＥの頂部を押さえる押さえ板０２０７の前後方向（図２Ｂ上下方向）の中央には、組み立て時において緩やかに谷折りされる折り目Ｌ２が付けられており、押さえ板０２０７の中央部分を下方に向けて尖らせることで、押さえ板０２０７の剛性を高めるようにしている。
【００５２】
そして、ゆで卵ＢＥを上げ底の底面０２０２に載せて上ふた０２０６を閉じると、図２Ｃに仮想線で示すように、折り返し片０２０７Ｔが前側面０２０１の上端部と重なる方向に移動すると共に、押さえ板引上げ部０２０７Ｐが後側面０２０５の上端部と重なる方向に移動するのに伴って、押さえ板０２０７が全体的に白抜き矢印方向に盛り上がって、ゆで卵ＢＥを上方からソフトに押圧するようになっている。
【００５３】
この状態で、例えば、ゆで卵収納容器０２００の搬送時等にゆで卵ＢＥに上方向の外力が作用した場合には、押さえ板０２０７がさらに盛り上がってゆで卵ＢＥが受ける衝撃を緩和する。
【００５４】
本実施例では、ゆで卵ＢＥを収納したゆで卵収納容器０２００の上ふた０２０６を開けた場合、図２Ｄに示すように、押さえ板０２０７の先端部に位置する押さえ板引上げ部０２０７Ｐの先端に指先Ｆを掛けて矢印方向に引き起こして摘み上げることで、押さえ板０２０７を簡単に引き起こすことができるようになっている。
【００５５】
＜効果＞
本実施例のゆで卵収納容器０２００では、ゆで卵ＢＥを収納した状態において、上げ底として機能する底面０２０２と押さえ板０２０７との間にゆで卵ＢＥが挟み込まれることになるので、ゆで卵ＢＥを安定した状態で支持することができる。
【００５６】
また、本実施例のゆで卵収納容器０２００では、押さえ板０２０７のゆで卵押さえ予定領域０２２０に、放射状に切り込みを入れて形成した複数の押圧片０２２１を設けているので、ゆで卵ＢＥを上げ底の底面０２０２に載せて上ふた０２０６を閉じた状態において、押さえ板０２０７をゆで卵ＢＥの頂部にフィットさせることができる。
【００５７】
さらに、本実施例のゆで卵収納容器０２００では、押さえ板０２０７の先端部に押さえ板引上げ部０２０７Ｐを配置しているので、上ふた０２０６を開けた場合、押さえ板引上げ部０２０７Ｐの先端を引き起こして摘み上げることで、押さえ板０２０７を簡単に引き起こすことができる。
【符号の説明】
【００５８】
０１００    ゆで卵収納容器
０１０１    前側面
０１０２    底面
０１０５    後側面
０１０６    上ふた
【図１Ａ】
0003224694.tif 000003
【図１Ｂ】
0003224694.tif 000004
【図１Ｃ】
0003224694.tif 000005
【図２Ａ】
0003224694.tif 000006
【図２Ｂ】
0003224694.tif 000007
【図２Ｃ】
0003224694.tif 000008
【図２Ｄ】
0003224694.tif 000009
【手続補正書】
【提出日】令和1年11月6日(2019.11.6)
【手続補正１】
【補正対象書類名】実用新案登録請求の範囲
【補正対象項目名】請求項５
【補正方法】変更
【補正の内容】
【請求項５】
前記押さえ板には、ゆで卵押さえ予定領域に放射状に切り込まれた放射状切込みが設けられている請求項３又は請求項３に従属する請求項４に記載のゆで卵収納容器。